(57)【要約】      （修正有）【課題】ユーザが容易に音量を微調整することを可能にする技術を提供する。【解決手段】プリアンプ１００Ａは、第１範囲と第２位置までの第２範囲とをユーザの操作範囲とする操作子１０１と、操作範囲における操作子の位置に対応する音量を表し、第１操作特性と第２操作特性とを含む複数の操作特性から、ユーザの指示に応じて選択された操作特性に基づいて、操作子の位置に応じた音量となるように音信号の振幅を調整する調整回路１２０とを備える。第１範囲における第１操作特性の音量と第２操作特性の音量との差分の平均値は、第２範囲における第１操作特性の音量と第２操作特性の音量との差分の平均値よりも小さく、第２範囲における第２操作特性の音量は、第２範囲における第１操作特性の音量より小さい。【選択図】図２
2020031397.tif 000002
【特許請求の範囲】
【請求項１】
最小の音量に対応する第１位置から所定位置までの第１範囲と前記所定位置から最大の音量に対応する第２位置までの第２範囲とをユーザの操作範囲とする操作子と、
前記操作範囲における前記操作子の位置に対応する音量を表し、第１操作特性と第２操作特性とを含む複数の操作特性から、前記ユーザの指示に応じて選択された操作特性に基づいて、前記操作子の位置に応じた音量となるように音信号の振幅を調整する調整部とを備え、
前記第１範囲における前記第１操作特性の音量と前記第２操作特性の音量との差分の平均値は、前記第２範囲における前記第１操作特性の音量と前記第２操作特性の音量との差分の平均値よりも小さく、
前記第２範囲における前記第２操作特性の音量は、前記第２範囲における前記第１操作特性の音量より小さい、
ことを特徴とする音響装置。
【請求項２】
前記第２範囲において、前記第２操作特性における前記操作子の位置の移動量に対して音量が変化する割合は、前記第１操作特性における前記操作子の位置の移動量に対して音量が変化する割合より小さい、
ことを特徴とする請求項１に記載の音響装置。
【請求項３】
前記第１範囲の前記第１操作特性と、前記第１範囲の前記第２操作特性とは等しいことを特徴とする請求項１又は２に記載の音響装置。
【請求項４】
前記第２操作特性の前記第２位置の音量は、前記ユーザによって指定され、
前記第２操作特性を表す第２特性データは、前記ユーザが前記第２操作特性について指定する前記第２位置における音量と、前記第１操作特性を表す第１特性データとに基づいて生成される、
ことを特徴とする請求項１から３までのうちいずれか１項に記載の音響装置。
【請求項５】
前記所定位置は、前記ユーザによって指定され、
前記第２操作特性を示す第２特性データは、前記ユーザが指定する前記所定位置と、前記第１操作特性を示す第１特性データとに基づいて生成される、
ことを特徴とする請求項１から４までのうちいずれか１項に記載の音響装置。
【請求項６】
前記所定位置における前記第２操作特性の音量は、前記ユーザによって指定され、
前記第２特性データは、前記ユーザが指定する前記所定位置の音量と、前記第１特性データとに基づいて生成される、
ことを特徴とする請求項１から４までのうちいずれか１項に記載の音響装置。
【請求項７】
前記第１範囲の前記第２特性データは、前記第１範囲の前記第１特性データと等しく、
前記第２範囲の前記第２特性データは、前記所定位置における前記第１特性データの示す音量と前記第２範囲における前記第１特性データとの差分に１未満の係数を乗算して生成され、
前記調整部は、前記ユーザの指示に応じて前記第１操作特性が選択された場合、前記第１特性データに基づいて前記音信号の振幅を調整し、前記ユーザの指示に応じて前記第２操作特性が選択された場合、前記第２特性データに基づいて前記音信号の振幅を調整する、
ことを特徴とする請求項４から６までのうちいずれか１項に記載の音響装置。
【請求項８】
前記第１位置から前記所定位置までの前記操作子の移動量は、前記第１位置から前記第２位置までの前記操作子の移動量の５％〜４０％であることを特徴とする請求項１乃至７のうちいずれか１項に記載の音響装置。
【請求項９】
最小の音量に対応する第１位置から所定位置までの第１範囲と前記所定位置から最大の音量に対応する第２位置までの第２範囲とをユーザの操作範囲とする操作子を備える音響装置に用いられ、前記操作範囲における前記操作子の位置に対応する音量を表す操作特性を示す特性データを生成する特性データの生成方法であって、
予め定められた前記操作特性である第１操作特性における前記第２位置の音量よりも小さな音量を指定することをユーザに促し、
前記ユーザが前記第１操作特性における前記第２位置の音量よりも小さな音量を指定すると指定された音量を前記第２位置の音量として受け付け、
前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する、
ことを特徴とする特性データの生成方法。
【請求項１０】
前記所定位置を指定することをユーザに促し、
前記ユーザが前記所定位置を指定すると、指定された前記所定位置を受け付け、
前記第１位置から前記受け付けた前記所定位置までを前記第１範囲とし、前記受け付けた前記所定位置から前記第２位置までを前記第２範囲として、前記第２特性データを生成する、
ことを特徴とする請求項９に記載の特性データの生成方法。
【請求項１１】
前記所定位置の音量を指定することをユーザに促し、
前記ユーザが前記所定位置の音量を指定すると、指定された前記所定位置の音量を受け付け、
前記第１位置から前記第１操作特性の前記受け付けた音量に対応する位置までを前記第１範囲とし、前記第１操作特性の前記受け付けた音量に対応する位置から前記第２位置までを前記第２範囲として、前記第２特性データを生成する、
請求項９に記載の特性データの生成方法。
【請求項１２】
最小の音量に対応する第１位置から所定位置までの第１範囲と前記所定位置から最大の音量に対応する第２位置までの第２範囲とをユーザの操作範囲とする操作子を備える音響装置を制御する制御装置であって、
前記操作範囲における前記操作子の位置に対応する音量を表す第１操作特性における前記第２位置の音量よりも小さな音量を指定することをユーザに促す画像を表示装置に表示させる表示制御部と、
前記ユーザが前記第１操作特性における前記第２位置の音量よりも小さな音量を指定すると指定された音量を受け付ける受付部と、
前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する生成部と、
前記第２特性データを前記音響装置に送信する送信部とを備える、
ことを特徴とする制御装置。
【請求項１３】
最小の音量に対応する第１位置から所定位置までの第１範囲と前記所定位置から最大の音量に対応する第２位置までの第２範囲とをユーザの操作範囲とする操作子を備える音響装置を制御し、前記音響装置にデータを送信する送信部を備えた制御装置のプログラムであって、
プロセッサを、
前記操作範囲における前記操作子の位置に対応する音量を表す第１操作特性における前記第２位置の音量よりも小さな音量を指定することをユーザに促す画像を表示装置に表示させる表示制御部と、
前記ユーザが前記第１操作特性における前記第２位置の音量よりも小さな音量を指定すると指定された音量を受け付ける受付部と、
前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する生成部と、
前記送信部を用いて前記第２特性データを前記音響装置へ送信させる送信制御部と、
して機能させる制御装置のプログラム。
【発明の詳細な説明】
【技術分野】
【０００１】
本発明は、音量を調整する技術に関する。
【背景技術】
【０００２】
ボリューム調整子の位置と音量との関係を表す複数の音量調整パターンの中から使用環境に応じてユーザが選択した音量調整パターンを用いて、ボリューム調整子の特性を制御する技術が提案されている（例えば、特許文献１及び特許文献２を参照）。これらの文献に例示される従来技術では、音量調整パターンにより表される音量の範囲のうちの最大値が複数の音量調整パターン間で一定である。また、ボリューム調整子の移動量を最小値から徐々に上げた場合の、ミュートからの音量の立ち上がり特性は、複数の音量調整パターン間で大きく異なっている。
【先行技術文献】
【特許文献】
【０００３】
【特許文献１】特開２００５−３４７８７８号公報
【特許文献２】特開２００４−５６１７９号公報
【発明の概要】
【発明が解決しようとする課題】
【０００４】
ユーザが音響機器に放音させる音の適切な音量の範囲は、音響装置の利用状況によって異なる。例えば、夜間にリビングルームにおいてユーザが調整する音量の範囲の上限値は、リスニングルームにおいてユーザが調整する音量の範囲の上限値よりも低いと想定される。ユーザが比較的小さな音量の範囲内で音量を調整する場合、従来の音響装置では、ユーザが所望する音量の範囲に対するボリューム調整子の調整範囲が小さくなり、結果として音量の微調整がしづらい場合があった。
また、人の聴覚は低音量の領域に対する感度が低いため、音量をミュートから大きくする場合、音量の立ち上がりの領域ではボリューム調整子の移動量に対する音量の変化を大きくする必要がある。しかしながら、上述のように、従来の音響装置ではミュートからの音量の立ち上がり特性は、複数の音量調整パターン間で大きく異なっている。このため、ユーザが選択した音量調整パターンによっては、音量がミュートから立ち上がる音量の立ち上がり領域において、ボリューム調整子の移動量に対する音量の変化量がユーザの想定を下回り、ユーザに違和感を与える場合があった。
以上の事情を考慮して、本発明は、音量調整パターンが切り替わった際に音量の立ち上がり領域においてユーザが覚える違和感を軽減しつつ、ユーザが容易に音量を微調整することを可能にする技術を提供することを目的とする。
【課題を解決するための手段】
【０００５】
以上の課題を解決するために、本発明の一態様に係る音響装置は、最小の音量に対応する第１位置から所定位置までの第１範囲と前記所定位置から最大の音量に対応する第２位置までの第２範囲とをユーザの操作範囲とする操作子と、前記操作範囲における前記操作子の位置に対応する音量を表し、第１操作特性と第２操作特性とを含む複数の操作特性から、前記ユーザの指示に応じて選択された操作特性に基づいて、前記操作子の位置に応じた音量となるように音信号の振幅を調整する調整部とを備え、前記第１範囲における前記第１操作特性の音量と前記第２操作特性の音量との差分の平均値は、前記第２範囲における前記第１操作特性の音量と前記第２操作特性の音量との差分の平均値よりも小さく、前記第２範囲における前記第２操作特性の音量は、前記第２範囲における前記第１操作特性の音量より小さいことを特徴とする。
【０００６】
本発明の一態様に係る特性データの生成方法は、最小の音量に対応する第１位置から所定位置までの第１範囲と前記所定位置から最大の音量に対応する第２位置までの第２範囲とをユーザの操作範囲とする操作子を備える音響装置に用いられ、前記操作範囲における前記操作子の位置に対応する音量を表す操作特性を示す特性データを生成する特性データの生成方法であって、予め定められた前記操作特性である第１操作特性における前記第２位置の音量よりも小さな音量を指定することをユーザに促し、前記ユーザが前記第１操作特性における前記第２位置の音量よりも小さな音量を指定すると指定された音量を前記第２位置の音量として受け付け、前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する、ことを特徴とする。
【０００７】
本発明の一態様に係る制御装置は、最小の音量に対応する第１位置から所定位置までの第１範囲と前記所定位置から最大の音量に対応する第２位置までの第２範囲とをユーザの操作範囲とする操作子を備える音響装置を制御する制御装置であって、前記操作範囲における前記操作子の位置に対応する音量を表す第１操作特性における前記第２位置の音量よりも小さな音量を指定することをユーザに促す画像を表示装置に表示させる表示制御部と、前記ユーザが前記第１操作特性における前記第２位置の音量よりも小さな音量を指定すると指定された音量を受け付ける受付部と、前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する生成部と、前記第２特性データを前記音響装置に送信する送信部とを備える、ことを特徴とする。
【０００８】
本発明の一態様に係る制御装置のプログラムは、最小の音量に対応する第１位置から所定位置までの第１範囲と前記所定位置から最大の音量に対応する第２位置までの第２範囲とをユーザの操作範囲とする操作子を備える音響装置を制御し、前記音響装置にデータを送信する送信部を備えた制御装置のプログラムであって、プロセッサを、前記操作範囲における前記操作子の位置に対応する音量を表す第１操作特性における前記第２位置の音量よりも小さな音量を指定することをユーザに促す画像を表示装置に表示させる表示制御部と、前記ユーザが前記第１操作特性における前記第２位置の音量よりも小さな音量を指定すると指定された音量を受け付ける受付部と、前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する生成部と、前記送信部を用いて前記第２特性データを前記音響装置へ送信させる送信制御部と、して機能させる。
【図面の簡単な説明】
【０００９】
【図１】第１実施形態に係る音響システム１Ａの構成を示すブロック図である。
【図２】プリアンプ１００Ａの構成を示すブロック図である。
【図３】プリアンプ１００Ａの操作子の模式図である。
【図４】調整回路１２０のブロック図である。
【図５Ａ】操作子の位置に対応する音量を表す複数の操作特性の例を示す図である。
【図５Ｂ】操作子の位置に対応する音量を表す複数の操作特性の例を示す図である。
【図６】第２実施形態に係る音響システム１Ｂの構成を示すブロック図である。
【図７】第２実施形態に係るプリアンプ１００Ｂ及び端末装置２００Ａのブロック図である。
【図８】特性データＤｔ２を生成する第１態様の動作を示すフローチャートである。
【図９】端末装置が表示する画像の一例である。
【図１０】特性データＤｔ２を生成する第２態様の動作を示すフローチャートである。
【図１１】端末装置が表示する画像の一例である。
【図１２】操作子の位置に対応する音量を表す複数の操作特性の例を示す図である。
【図１３】特性データＤｔ２を生成する第３態様の動作を示すフローチャートである。
【図１４】端末装置が表示する画像の一例である。
【図１５】第３実施形態に係るプリアンプ１００Ｃ及び端末装置２００Ｂのブロック図である。
【図１６Ａ】操作子の位置に対応する音量を表す複数の操作特性の例を示す図である。
【図１６Ｂ】操作子の位置に対応する音量を表す複数の操作特性の例を示す図である。
【発明を実施するための形態】
【００１０】
[１．第１実施形態]   
[１−１．音響システム１Ａの構成]
図１は、音響システム１Ａの構成を示すブロック図である。この図に示すように音響システム１Ａは、音響装置の一例であるプリアンプ１００Ａ、メインアンプ３００、及びスピーカＳＰを備える。プリアンプ１００Ａは、音量を調整する音響装置の一例である。プリアンプ１００Ａは、音信号Ｖｉｎの振幅を調整して音信号Ｖｏｕｔを出力する。メインアンプ３００は音信号Ｖｏｕｔを所定のゲインで増幅し、増幅した音信号をスピーカＳＰに出力する。スピーカＳＰは入力する音信号の振幅に応じた音量の音を放音する。
【００１１】
[１−２．プリアンプ１００Ａの構成]
図２は、プリアンプ１００Ａの構成を示すブロック図である。プリアンプ１００Ａは、操作子１０１、入力装置１０２、アンプ１１０及び１３０、調整回路１２０（調整部の一例）、プロセッサ１４０、可変抵抗器１５０、並びに不揮発性メモリ１６０を具備する。
【００１２】
図３に操作子１０１の模式図を示す。操作子１０１は、スピーカＳＰから放音される音の音量を調整するためにユーザが操作する要素であり、図２に例示するように例えば０度から３００度の範囲で回転するツマミである。操作子１０１は、第１位置Ｌ１から所定位置Ｌｃまでの第１範囲Ｗ１と所定位置Ｌｃから第２位置Ｌ２までの第２範囲Ｗ２とをユーザの操作範囲とする。第１位置Ｌ１は最小の音量に対応し、第２位置Ｌ２は最大の音量に対応する。第１位置Ｌ１から所定位置Ｌｃまでの範囲、すなわち第１範囲Ｗ１における操作子１０１の移動量が、第１位置Ｌ１から第２位置Ｌ２までの範囲、すなわち操作範囲における操作子１０１の移動量の例えば５％〜４０％であるように、所定位置Ｌｃが設定されてもよい。
【００１３】
図３では、第１範囲Ｗ１が操作範囲の２０％であるように所定位置Ｌｃが設定され、操作子１０１が第１範囲Ｗ１内に位置する場合を例示する。なお、図２では操作子１０１が回転式のツマミである態様を一例として示すが、操作子１０１は本態様に限定されない。例えば、操作子１０１は、スライダー式のツマミでもよい。例えば、プリアンプ１００Ａのリモコンにおける音量調整の操作とツマミの動きが連動する場合、プリアンプ１００Ａのリモコンから送信される音量を設定する信号を受信する受信器を含んで構成されてもよい。操作子１０１がリモコンと連動して回転する場合、例えば、リモコンに設けられた音量増加を指示するボタン又は音量低下を指示するボタンをユーザが操作すると、ユーザの操作に応じて操作子１０１を回転させてもよい。
【００１４】
説明を図２に戻す。可変抵抗器１５０は、抵抗体と、抵抗体の一端が接続され接地電位が供給される第１端子と、抵抗体の他端が接続され固定電位が供給される第２端子と、可動片が接続される第３端子とを備える。また、操作子１０１の操作と連動して可動片が抵抗体と接する位置が、抵抗体の一端から他端まで変化するように構成されている。可変抵抗器１５０の第３端子はプロセッサ１４０に接続される。したがって、操作子１０１の位置に応じた電位に設定されたアナログ信号がプロセッサ１４０に出力される。可変抵抗器１５０が出力する信号は、プロセッサ１４０が内蔵するＡ／Ｄ変換器によりデジタル信号に変換され、プロセッサ１４０の内部回路に供給される。可変抵抗器１５０が出力する信号は、ユーザの操作子１０１に対する操作に基づくものであるので、ユーザが操作子１０１を用いて指定した音量を示す信号であると言える。
【００１５】
不揮発性メモリ１６０は例えば半導体メモリ又は磁気メモリ等の公知の記録媒体であり、複数の特性データＤｔ及びプロセッサ１４０が実行する制御プログラムＰＲを記憶する。特性データＤｔは、操作範囲における操作子１０１の位置に対応する音量を表す操作特性Ｏｃ（例えば、図５Ｂ参照）を表す。ユーザは、入力装置１０２を操作することにより、不揮発性メモリ１６０に記憶された複数の特性データＤｔに対応する複数の操作特性Ｏｃのうちのいずれかを選択する。なお、選択の対象となる操作特性Ｏｃの数は２つに限られず、３つ以上の操作特性Ｏｃから選択してもよい。本実施形態において、不揮発性メモリ１６０に記憶される複数の特性データＤｔには、操作特性Ｏｃ１（第１操作特性の一例）に対応する特性データＤｔ１及び操作特性Ｏｃ２（第２操作特性の一例）に対応する特性データＤｔ２が含まれる。
【００１６】
入力装置１０２は、例えば、位置（角度）に応じて操作特性Ｏｃが特定される回転式のツマミであってもよいし、それぞれが異なる操作特性Ｏｃに対応する複数のボタンにより構成されてもよい。また、入力装置１０２は、リモコンから送信されるユーザが選択する操作特性Ｏｃを示す信号を受信する受信器であってもよい。入力装置１０２は、ユーザが選択した操作特性Ｏｃを示す信号をプロセッサ１４０に供給する。
【００１７】
プロセッサ１４０は、例えばＣＰＵ（Central Processing Unit）又はＤＳＰ（Digital Signal Processor）を含んで構成される処理回路である。プロセッサ１４０は、不揮発性メモリ１６０から読み出した制御プログラムＰＲを実行することにより、取得部１４２として機能する。取得部１４２は、入力装置１０２を介して受け付けたユーザの指示に応じて、ユーザが選択した操作特性Ｏｃに対応する特性データＤｔを不揮発性メモリ１６０から取得する。プロセッサ１４０は、可変抵抗器１５０から出力された信号と、取得部１４２が取得した特性データＤｔとに基づいて、制御信号ＣＴＬを生成し、調整回路１２０に出力する。
【００１８】
アンプ１１０は、音信号Ｖｉｎを増幅して音信号Ｖ１を生成し、調整回路１２０に出力する。調整回路１２０は、プロセッサ１４０から供給される制御信号ＣＴＬに応じて音信号Ｖ１の振幅を調整して音信号Ｖ２を生成する。より具体的には、調整回路１２０は、ユーザの指示に応じて選択された操作特性Ｏｃ（より正確には、選択された操作特性Ｏｃに対応する特性データＤｔ）に基づいて、操作子１０１の位置に応じた音量となるように音信号Ｖ１の振幅を調整する。
【００１９】
図４に調整回路１２０の構成例を示す。図４に例示されるように、調整回路１２０は、ラダー抵抗２１及び選択回路２２を具備する。ラダー抵抗２１はＮ個の抵抗を備える。Ｎは２以上の整数である。ラダー抵抗２１の一端には音信号Ｖ１が供給され、他端は例えば接地電位等の固定電位に保持される。ラダー抵抗２１の一端及び他端の間に設けられた複数の接続点からは、それぞれの点における電位に設定された信号Ｖ１＿０〜Ｖ１＿Ｎが選択回路２２に出力される。選択回路２２は、制御信号ＣＴＬに基づいて信号Ｖ１＿０〜Ｖ１＿Ｎのいずれかを選択し、音信号Ｖ２として出力する。より具体的には、例えば１０２４個の信号Ｖ１＿０〜Ｖ１＿１０２３が選択回路２２に出力される場合、１２ビットの制御信号ＣＴＬにより、いずれか１つの信号Ｖ１＿ｎが指定され得る（ｎは０≦ｎ≦Ｎを満たす整数）。アンプ１３０は、調整回路１２０から出力された音信号Ｖ２を増幅して音信号Ｖｏｕｔを生成し、メインアンプ３００に出力する。
【００２０】
[１−３．操作特性の例]
ユーザが音響システム１ＡのスピーカＳＰから放音させる音の適切な音量の範囲は、音響システム１Ａの利用状況によって異なる。例えば、夜間にリビングルームにおいてユーザが調整する音量の範囲の上限値は、リスニングルームにおいてユーザが調整する音量の範囲の上限値よりも低いと想定される。本実施形態では、ユーザの様々な利用状況に対応するため、複数の操作特性Ｏｃを用意しユーザが選択できるようにしている。
【００２１】
図５Ａは、操作特性Ｏｃ１及び操作特性Ｏｃ２の模式図である。前述のように、各操作特性Ｏｃは操作範囲における操作子１０１の位置に対応する音量を表す。図５Ａでは、操作子１０１の位置を操作子１０１の回転角度で表し、音量を音響システム１が出力可能な最大音量からの減衰量で表す場合を例示する。図５Ａに示すように、第１範囲Ｗ１における操作特性Ｏｃ１の音量と操作特性Ｏｃ２の音量との差分の平均値をＤｆ１とし、第２範囲Ｗ２における操作特性Ｏｃ１の音量と操作特性Ｏｃ２の音量との平均値をＤｆ２とした場合、Ｄｆ１はＤｆ２よりも小さい（Ｄｆ１＜Ｄｆ２）。すなわち、第１範囲Ｗ１では、第２範囲Ｗ２と比較して、操作特性Ｏｃ１と操作特性Ｏｃ２とが近似する。
【００２２】
以上の構成によれば、ユーザの選択によって操作特性が操作特性Ｏｃ１から操作特性Ｏｃ２に切り替わっても、ミュートからの音量の立ち上がり特性における変化が比較的小さく抑えられる。このため、従来技術と比較して、音量の立ち上がり領域においてユーザが覚える違和感が軽減される。
【００２３】
また、人の聴覚は、音量が小さい領域で感度が低い。したがって、ミュートから音量が次第に大きくなる立ち上がり領域では、操作子１０１の移動量に対する音量の変化の割合が、立ち上がり領域以外の領域と比較して、大きいことが好ましい。操作子１０１の移動量に対する音量の変化する割合（以下、音量変化率と称する場合がある）に着目すると、上述した操作特性Ｏｃ１及び操作特性Ｏｃ２のいずれについても、第１範囲Ｗ１における音量変化率が、第２範囲Ｗ２における音量変化率よりも大きい。このように音量変化率を設定することによって、操作子１０１を操作した場合に音量の立ち上がり領域においてユーザの違和感を低減することができる。
【００２４】
さらに、図５Ｂに示すように、本実施形態においては、第１範囲Ｗ１における操作特性Ｏｃ１と第１範囲Ｗ１における操作特性Ｏｃ２とが等しい場合を想定する。このため、本実施形態によれば、音量の立ち上がり領域においてユーザが覚える違和感を軽減するという効果が特に顕著である。なお、本明細書において、「等しい」とは、人が特性の違いを知覚できない範囲内であることを意味する。より具体的には、ユーザが一定の速度で操作子１０１を第１範囲Ｗ１で操作した場合に、操作特性Ｏｃ１と操作特性Ｏｃ２の相違を感じない程度の差は、「等しい」に含まれる。
【００２５】
また、図５Ａ及び図５Ｂに例示するように、第２範囲Ｗ２において、操作特性Ｏｃ２が表す音量は操作特性Ｏｃ１が表す音量よりも小さい。すなわち、第２範囲Ｗ２における操作子１０１の全ての位置において、操作特性Ｏｃ２の表す音量は操作特性Ｏｃ１の表す音量より小さい。特に、操作特性Ｏｃ２における第２位置Ｌ２に対応する音量は、操作特性Ｏｃ１における第２位置Ｌ２に対応する音量よりも小さい。さらに、本実施形態において、第２範囲Ｗ２において、操作特性Ｏｃ２における操作子１０１の位置の移動量に対して音量が変化する割合である音量変化率は、操作特性Ｏｃ１における操作子１０１の位置の移動量に対して音量が変化する割合である音量変化率より小さい。図５Ｂに示す例では、第２範囲Ｗ２における操作特性Ｏｃ２の音量変化率はＹ２／（Ｌ２−Ｌｃ）となり、第２範囲Ｗ２における操作特性Ｏｃ１の音量変化率はＹ１／（Ｌ２−Ｌｃ）となる。
【００２６】
以上の説明から理解されるように、操作特性Ｏｃ２が選択された場合、操作特性Ｏｃ１が選択された場合と比較して、第２範囲Ｗ２にわたる操作子１０１の移動量に対し、スピーカＳＰから放音される音の音量が変化する幅が狭まる。このため、操作特性Ｏｃ２を選択することにより、従来技術と比較して、ユーザは容易に音量を微調整することができる。
【００２７】
[２．第２実施形態] 
[２−１．音響システム１Ｂの構成]
本発明の第２実施形態について以下に説明する。図６に第２実施形態に係る音響システム１Ｂのブロック図を示す。音響システム１Ｂは、プリアンプ１００Ａの替わりにプリアンプ１００Ｂを用いる点、及び端末装置２００Ａが追加された点を除いて、図１に示す第１実施形態の音響システム１Ａと同じである。以下に例示する各態様において作用又は機能が第１実施形態と同様である要素については、第１実施形態の説明で使用した符号を流用して各々の詳細な説明を適宜省略する。プリアンプ１００Ｂは、プリアンプ１００Ａと同様に、音量を調整する音響装置の一例である。また、端末装置２００Ａはプリアンプ１００Ｂを制御する制御装置の一例である。
【００２８】
第１実施形態では、操作特性Ｏｃ２を表す特性データＤｔ２が予め不揮発性メモリ１６０に記憶されている構成を例示した。第２実施形態において、特性データＤｔ２は、ユーザの指示に応じてプリアンプ１００Ｂにおいて生成される。操作特性Ｏｃ１に対応する特性データＤｔ１が予め定め不揮発性メモリ１６０に記憶される点は第１実施形態と同様である。
【００２９】
[２−２．プリアンプ１００Ｂ及び端末装置２００Ａの構成]
図７は、第２実施形態に係るプリアンプ１００Ｂ及びプリアンプ１００Ｂと通信する端末装置２００Ａのブロック図である。プリアンプ１００Ｂは、近距離無線通信装置１０３をさらに備え、プロセッサ１４０が生成部１４４としてさらに機能する点を除き、第１実施形態で説明したプリアンプ１００Ａと同様である。近距離無線通信装置１０３は、例えば、IEEE802.11ac等の無線ＬＡＮ規格又はIEEE802.15.1等の無線ＰＡＮ規格に準拠した無線通信、若しくは赤外線通信等の近距離の無線通信により端末装置２００Ａと通信する。生成部１４４は、プロセッサ１４０が不揮発性メモリ１６０に記憶された制御プログラムＰＲを実行することで実現される。生成部１４４は、ユーザが指定する操作特性Ｏｃ２を特定するパラメータと、不揮発性メモリ１６０に記憶された特性データＤｔ１とに基づいて特性データＤｔ２を生成する。操作特性Ｏｃ２を特定するパラメータとしては、例えば、第２位置Ｌ２における音量、所定位置Ｌｃ、及び所定位置Ｌｃにおける音量が該当する。
【００３０】
端末装置２００Ａは、例えば、スマートフォン、タブレット端末、リモコン等の可搬型の装置である。図７に示されるように、端末装置２００Ａは、表示装置２１０と、入力装置２２０と、近距離無線通信装置２３０（送信部の一例）と、プロセッサ２４０と、記憶装置２５０と、を具備する。プロセッサ２４０は、表示装置２１０を制御する表示制御部２４２と、近距離無線通信装置２３０を制御する送信制御部２４４と、ユーザの操作を受け付ける受付部２４６とを備える。表示装置２１０は、例えばタッチパネル式の液晶ディスプレイであり、表示制御部２４２の制御にしたがって画像を表示する。なお、表示装置２１０は、液晶ディスプレイに限られず、例えば有機ＥＬ（electro-luminescence）ディスプレイ又は電気泳動ディスプレイ（EPD、Electrophoretic Display）等のディスプレイでもよい。入力装置２２０は、表示装置２１０が備えるタッチセンサーによる検出の結果に基づいて、ユーザの表示装置２１０における操作を検出し、検出された操作を示す信号を生成及び出力する。近距離無線通信装置２３０は、Ｂｌｕｅｔｏｏｔｈ（登録商標）又は赤外線通信等の近距離の無線通信によりプリアンプ１００Ｂと通信する装置であって、送信制御部２４４の制御にしたがってデータをプリアンプ１００Ｂへ送信する。記憶装置２５０は、例えば半導体記録媒体又は磁気記録媒体等の公知の記録媒体で構成され、プロセッサ２４０が実行する制御プログラムＰＲｃとプロセッサ２４０が使用する各種のデータとを記憶する。プロセッサ２４０は、例えばＣＰＵ等の処理装置で実現され、各種の演算処理及び制御処理を実行する。第２実施形態のプロセッサ２４０は、記憶装置２５０に記憶された制御プログラムＰＲｃを実行することで、表示制御部２４２、送信制御部２４４及び受付部２４６として機能する。
【００３１】
[２−３．特性データＤｔ２の生成]
以下、音響システム１Ｂにおいて、操作特性Ｏｃ２に対応する特性データＤｔ２を生成する方法を３つの態様に分けて説明する。第１態様は、ユーザが指定する第２位置Ｌ２の音量に基づいて特性データＤｔ２を生成する方法である。第２態様は、ユーザが指定する所定位置Ｌｃに基づいて特性データＤｔ２を生成する方法である。第３態様は、ユーザが指定する第２位置の音量及び所定位置Ｌｃに基づいて特性データＤｔ２を生成する方法である。
【００３２】
[２−３−１．第１態様]
図８は、音響システム１Ｂにおける操作特性Ｏｃ２に対応する特性データＤｔ２を生成する第１態様の動作を示すフローチャートである。ユーザが端末装置２００Ａにおいて、設定アプリケーションを起動すると、端末装置２００Ａのプロセッサ２４０は、近距離無線通信装置２３０を制御して、プリアンプ１００Ｂと通信接続を確立する（Ｓ１）。次に、プロセッサ２４０は近距離無線通信装置２３０を介して操作特性Ｏｃ１に対応する特性データＤｔ１をプリアンプ１００Ｂから取得する（Ｓ２）。
【００３３】
次に、プロセッサ２４０は表示制御部２４２として機能し、操作特性Ｏｃ２を設定するための設定画面を表示装置２１０に表示させる（Ｓ３）。図９に、第１態様においてユーザが操作特性Ｏｃ２のパラメータを指定する際に表示装置２１０に表示される画像の一例を示す。ユーザは、操作特性Ｏｃ１のパラメータを基準にして、操作特性Ｏｃ２のパラメータを指定する。本態様において、ユーザは、操作特性Ｏｃ２のパラメータとして第２位置Ｌ２における音量を指定する。
【００３４】
図９に示されるボタンＢ１、Ｂ２、及びＢ５に対する操作は入力装置２２０によって検出される。同図において、点線Ｌｙは、第２位置Ｌ２における操作特性Ｏｃ２の音量を示す。表示制御部２４２は、ユーザがボタンＢ１を押し下げると、点線Ｌｙを画面の上方向に移動させ、ユーザがボタンＢ２を押し下げると、点線Ｌｙを画面の下方向に移動させる。そして、ユーザがボタンＢ５を押し下げると、押し下げた時点における点線Ｌｙの位置によって、操作特性Ｏｃ２についての第２位置Ｌ２における音量が指定される。
【００３５】
ただし、表示制御部２４２は、ユーザがボタンＢ１を押し下げても、点線Ｌｙが操作特性Ｏｃ１の第２位置Ｌ２の音量を示す点線Ｌｍａｘを越えて上方向に移動させないように点線Ｌｙの移動を制限する。また、点線Ｌｙは初期状態おいて点線Ｌｍａｘよりも下側に位置するように表示される。すなわち、表示制御部２４２は、ユーザが操作特性Ｏｃ１の第２位置Ｌ２における音量を上回る音量を操作特性Ｏｃ２の第２位置Ｌ２における音量として指定することができないよう表示装置２１０に表示される画像を制御する。換言すると、表示制御部２４２は、操作特性Ｏｃ２の第２位置Ｌ２における音量として、操作特性Ｏｃ１の第２位置Ｌ２における音量よりも小さな音量を指定することをユーザに促す画像を表示装置２１０に表示させる。
【００３６】
次に、プロセッサ２４０は受付部２４６として機能し、ユーザが第２位置Ｌ２の音量として操作特性Ｏｃ１の第２位置Ｌ２における音量よりも小さな音量を指定したか否かについて判定する（Ｓ４）。具体的には、受付部２４６は、入力装置２２０の出力信号がボタンＢ５の押し下げを示す場合に、ユーザが第２位置Ｌ２の音量を指定したと判定する。受付部２４６は、ステップＳ４の判定結果が肯定となるまで判定を繰り返す。
【００３７】
ユーザが操作特性Ｏｃ１の第２位置Ｌ２における音量よりも小さな音量を指定すると、受付部２４６は、指定された音量を受け付ける（Ｓ５）。次に、プロセッサ２４０は送信制御部２４４として機能し、近距離無線通信装置２３０を制御して、操作特性Ｏｃ２の第２位置Ｌ２における音量をプリアンプ１００に送信させる（Ｓ６）。
【００３８】
プリアンプ１１０Ｂのプロセッサ１４０が近距離無線通信装置１０３を介して送信された信号を受け付けると、プロセッサ１４０は生成部１４４として機能する。生成部１４４は、受け付けた信号が表す音量、すなわち、ユーザが操作特性Ｏｃ２について指定する第２位置Ｌ２における音量と、不揮発性メモリ１６０に記憶された特性データＤｔ１とに基づいて、特性データＤｔ２を生成する（Ｓ７）。
【００３９】
生成部１４４は、特性データＤｔ１を関数ｆ１（Ｌ）、特性データＤｔ２を関数ｆ２（Ｌ）で表した場合、例えば、以下のように特性データＤｔ２を生成する。但し、変数Ｌは操作子１０１の位置である。
第１に、第１範囲Ｗ１の特性データＤｔ２を第１範囲Ｗ１の特性データＤｔ１と一致させる。すなわち、Ｌ１≦Ｌ≦Ｌｃにおいて、Ｄｔ１＝Ｄｔ２である。第２に、第２範囲Ｗ２における特性データＤｔ２は、以下に示す式１及び式２にしたがって生成する。なお、式１及び式２の各要素の値はｄＢで与えられる。
Ｄｔ２＝ｆ２（Ｌ）＝ｆ１（Ｌｃ）+α・｛ｆ１（Ｌ）-ｆ１（Ｌｃ）｝…式１
α＝｛ｆ２（Ｌ２）−ｆ１（Ｌｃ）｝／｛ｆ１（Ｌ２）−ｆ１（Ｌｃ）｝…式２
但し、Ｌｃ＜Ｌ≦Ｌ２
【００４０】
例えば、図５Ｂに示す操作特性Ｏｃ１に対応する特性データＤｔ１に基づいて操作特性Ｏｃ２に対応する特性データＤｔ１を生成する場合、第２位置Ｌ２における操作特性Ｏｃ２の音量であるｆ２（Ｌ２）が端末装置２００Ａから与えられると、生成部１４４は、式２を用いて係数αを算出する。図５Ｂに示す例では、係数αは0.67である。そして、生成部１４４は、係数αを式１に代入して、特性データＤｔ２を生成する。
【００４１】
生成部１４４の動作は式１及び式２に限定されない。生成部１４４は、ユーザが指定した第２位置Ｌ２の音量と特性データＤｔ１とに基づいて、第１範囲Ｗ１の操作特性Ｏｃ２と操作特性Ｏｃ１とが等しく、第２範囲Ｗ２における操作特性Ｏｃ２の音量が、第２範囲Ｗ２における操作特性Ｏｃ１の音量より小さくなり、操作特性Ｏｃ２における第２位置Ｌ２の音量がユーザの指定する音量となるように特性データＤｔ２を生成すればよい。
【００４２】
生成された特性データＤｔ２は、不揮発性メモリ１６０に記憶される。その後の処理については第１実施形態と同様である。具体的には、ユーザが操作特性Ｏｃ１を選択した場合には、プリアンプ１００Ｂの調整回路１２０は特性データＤｔ１に基づいて音信号Ｖ１の振幅を調整し、ユーザが操作特性Ｏｃ２を選択した場合には、調整回路１２０は特性データＤｔ２に基づいて音信号Ｖ１の振幅を調整する。
【００４３】
本態様によれば、第１実施形態と同様の効果が奏される。さらに、第２実施形態においては、ユーザが指定する音量が第２位置Ｌ２における音量として設定された特性データＤｔ２が生成される。このため、調整したい音量の範囲の上限値をユーザが指定することにより、ユーザの好みに応じてカスタマイズされた操作特性Ｏｃ２が生成される。
【００４４】
[２−３−２．第２態様] 
第２態様では、ユーザが指定する所定位置Ｌｃに基づいて特性データＤｔ２が生成される。図１０は、音響システム１Ｂにおける操作特性Ｏｃ２に対応する特性データＤｔ２を生成する第２態様の動作を示すフローチャートである。図８に示す第１態様と同一の動作には同一の符号を付し、説明を適宜省略する。
【００４５】
図１０に示されるように第２態様において、端末装置２００Ａのプロセッサ２４０は、プリアンプ１００Ｂと通信接続を確立し（Ｓ１）、特性データＤｔ１をプリアンプ１００Ｂから取得し（Ｓ２）、さらに設定画面を表示装置２１０に表示させる（Ｓ３）。これらの動作は、第１態様と同じである。但し、設定画面の内容が相違する。
【００４６】
図１１に第２態様においてユーザが操作特性Ｏｃ２の特性を指定する際に表示装置２１０に表示される画像の一例を示す。図１１に示されるボタンＢ３、Ｂ４、及びＢ５に対する操作は入力装置２２０によって検出される。同図において、点線Ｌｘは所定位置Ｌｃを示す。表示制御部２４２は、ユーザがボタンＢ３を押し下げると、点線Ｌｘを画面の左方向に移動させ、ユーザがボタンＢ４を押し下げると、点線Ｌｘを画面の右方向に移動させる。そして、ユーザがボタンＢ５を押し下げると、押し下げた時点における点線Ｌｘの位置によって所定位置Ｌｃが指定される。
【００４７】
説明を図１０に戻す。プロセッサ２４０は受付部２４６として機能し、ユーザが所定位置Ｌｃを指定したかについて判定する（Ｓ４ａ）。具体的には、受付部２４６は、入力装置２２０の出力信号がボタンＢ５の押し下げを示す場合に、所定位置Ｌｃを指定したと判定する。受付部２４６は、ステップＳ４ａの判定結果が肯定となるまで判定を繰り返す。
【００４８】
ユーザが所定位置Ｌｃを指定すると、受付部２４６は、指定された所定位置Ｌｃを受け付ける（Ｓ５ａ）。次に、プロセッサ２４０は送信制御部２４４として機能し、近距離無線通信装置２３０を制御して、所定位置Ｌｃをプリアンプ１００Ｂに送信させる（Ｓ６ａ）。
【００４９】
プリアンプ１１０Ｂのプロセッサ１４０が近距離無線通信装置１０３を介して送信された信号を受け付けると、プロセッサ１４０は生成部１４４として機能する。生成部１４４は、受け付けた信号が表す所定位置Ｌｃと、不揮発性メモリ１６０に記憶された特性データＤｔ１とに基づいて、特性データＤｔ２を生成する（Ｓ７ａ）。
【００５０】
生成部１４４は、例えば、上述した式１にしたがって、特性データＤｔ２を生成する。操作特性Ｏｃ１に対応する特性データＤｔ１に基づいて操作特性Ｏｃ２に対応する特性データＤｔ２を生成する場合、生成部１４４は、予め定められた係数α（例えば、α＝0.67）と、ユーザによって指定された所定位置Ｌｃを式１に代入して、特性データＤｔ２を生成する。
【００５１】
所定位置Ｌｃは第１範囲Ｗ１と第２範囲Ｗ２との境界の位置である。したがって、生成部１４４は、第１位置Ｌ１から受け付けた所定位置Ｌｃまでを第１範囲Ｗ１とし、受け付けた所定位置Ｌｃから第２位置Ｌ２までを第２範囲Ｗ２として、特性データＤｔ２を生成する。
【００５２】
図１２に、第２態様において生成される特性データＤｔ２が表す操作特性Ｏｃ２を例示する。同図において、所定位置Ｌｃ＿１は、予め定められていた所定位置Ｌｃを表し、所定位置Ｌｃ＿２は、ユーザが指定した所定位置Ｌｃを表す。同図に示すように、操作特性Ｏｃ２は、第１位置Ｌ１から所定位置Ｌｃ＿２までの第１範囲Ｗ１において、操作特性Ｏｃ１と等しい。また、所定位置Ｌｃ＿２から第２位置Ｌ２までの第２範囲Ｗ２において、操作特性Ｏｃ２の音量は、操作特性Ｏｃ１の音量より小さい。さらに、第２範囲Ｗ２において、操作特性Ｏｃ２の音量変化率は、操作特性Ｏｃ１の音量変化率よりも小さい。
【００５３】
第２態様によれば、第１実施形態と同様の効果が奏される。さらに、ユーザが指定する所定位置Ｌｃに基づいて特性データＤｔ２が生成される。このため、ユーザは、調整したい音量の範囲の下限値に対応する位置を所定位置Ｌｃとして指定することにより、好みに応じてカスタマイズされた操作特性Ｏｃ２を生成することができる。
【００５４】
[２−３−３．第３態様]
第３態様では、ユーザが指定する第２位置Ｌ２の音量及び所定位置Ｌｃに基づいて特性データＤｔ２が生成される。図１３は、音響システム１Ｂにおける操作特性Ｏｃ２に対応する特性データＤｔ２を生成する第３態様の動作を示すフローチャートである。図８に示す第１態様と同一の動作には同一の符号を付し、説明を適宜省略する。
【００５５】
図１３に示されるように第２態様において、端末装置２００Ａのプロセッサ２４０は、プリアンプ１００Ｂと通信接続を確立し（Ｓ１）、特性データＤｔ１をプリアンプ１００Ｂから取得し（Ｓ２）、さらに設定画面を表示装置２１０に表示させる（Ｓ３）。これらの動作は、第１態様と同じである。但し、設定画面の内容が相違する。
【００５６】
図１４に第３態様においてユーザが操作特性Ｏｃ２の特性を指定する際に表示装置２１０に表示される画像の一例を示す。図１４に示されるボタンＢ１〜Ｂ５に対する操作は入力装置２２０によって検出される。表示制御部２４２は、ユーザがボタンＢ１及びＢ２を操作すると点線Ｌｙを移動させ、ユーザがボタンＢ３及びＢ４を操作すると点線ＬＸを移動させ、ユーザがボタンＢ５を押し下げると、押し下げた時点における点線Ｌｙの位置によって第２位置Ｌ２の音量が指定され、点線Ｌｘの位置によって所定位置Ｌｃが指定される。これらの指定方法は、第１態様及び第２態様と同じである。なお、ユーザが指定可能な第２位置Ｌ２の音量は、操作特性Ｏｃ１の第２位置Ｌ２の音量未満となるように制限される点は、第１態様と同じである。
【００５７】
説明を図１３に戻す。プロセッサ２４０は受付部２４６として機能し、ユーザが第２位置Ｌ２の音量及び所定位置Ｌｃを指定したかについて判定する（Ｓ４ｂ）。具体的には、受付部２４６は、入力装置２２０の出力信号がボタンＢ５の押し下げを示す場合に、第２位置Ｌ２の音量及び所定位置Ｌｃを指定したと判定する。受付部２４６は、ステップＳ４ｂの判定結果が肯定となるまで判定を繰り返す。
【００５８】
ユーザが第２位置Ｌ２の音量及び所定位置Ｌｃを指定すると、受付部２４６は、指定された第２位置Ｌ２の音量及び所定位置Ｌｃを受け付ける（Ｓ５ｂ）。次に、プロセッサ２４０は送信制御部２４４として機能し、近距離無線通信装置２３０を制御して、第２位置Ｌ２の音量及び所定位置Ｌｃをプリアンプ１００Ｂに送信させる（Ｓ６ｂ）。
【００５９】
プリアンプ１１０Ｂのプロセッサ１４０が近距離無線通信装置１０３を介して送信された信号を受け付けると、プロセッサ１４０は生成部１４４として機能する。生成部１４４は、受け付けた信号が表す第２位置Ｌ２の音量及び所定位置Ｌｃと、不揮発性メモリ１６０に記憶された特性データＤｔ１とに基づいて、特性データＤｔ２を生成する（Ｓ７ｂ）。
【００６０】
生成部１４４は、例えば、上述した式１及び式２にしたがって、特性データＤｔ２を生成する。生成部１４４は、式２を用いて操作特性Ｏｃ１の第２位置Ｌ２の音量、第２位置Ｌ２においてユーザに指定された音量、及びユーザに指定された所定位置Ｌｃにおける操作特性Ｏｃ１の音量に基づいて係数αを算出する。さらに、生成部１４４は、ユーザによって指定された所定位置Ｌｃ及び算出された係数αを上述した式１に代入することによって、特性データＤｔ２を生成する。
【００６１】
操作特性Ｏｃ２は、第１位置Ｌ１から所定位置Ｌｃ＿２までの第１範囲Ｗ１において、操作特性Ｏｃ１と等しい。また、所定位置Ｌｃ＿２から第２位置Ｌ２までの第２範囲Ｗ２において、操作特性Ｏｃ２の音量は、操作特性Ｏｃ１の音量より小さい。さらに、第２範囲Ｗ２において、操作特性Ｏｃ２の音量変化率は、操作特性Ｏｃ１の音量変化率よりも小さい。
【００６２】
第３態様によれば、第１実施形態と同様の効果が奏される。さらに、ユーザが指定する第２位置Ｌ２の音量及び所定位置Ｌｃに基づいて特性データＤｔ２が生成される。このため、ユーザは、最大音量と調整したい音量の範囲の下限値に対応する位置を所定位置Ｌｃとして指定することにより、好みに応じてカスタマイズされた操作特性Ｏｃ２を生成することができる。
【００６３】
[３．第３実施形態] 
第３実施形態は、プリアンプ１００Ｂの替わりにプリアンプ１００Ｃを用い、端末装置２００Ａの替わりに端末装置２００Ｂを用いる点を除いて、第２実施形態と同様である。
図１５は第３実施形態に係るプリアンプ１００Ｃ及び端末装置２００Ｂ（制御装置の一例）のブロック図である。第３実施形態に係るプリアンプ１００Ｃは、プロセッサ１４０が生成部１４４を有さない点を除き、第２実施形態のプリアンプ１００Ｂと同様である。第３実施形態に係る端末装置２００Ｂは、プロセッサ２４０が生成部２４８をさらに有する点を除き、第２実施形態で説明した端末装置２００Ａと同様に構成される。端末装置２００Ｂの生成部２４８は、プロセッサ２４０が記憶装置２５０に記憶された制御プログラムＰＲｃを実行することで実現される。生成部２４８は、第２実施形態で説明した生成部１４４と同様の機能を有する。
【００６４】
第２実施形態の第１態様と同様に、第３実施形態において、表示制御部２４２は、操作特性Ｏｃ２の第２位置Ｌ２における音量として、操作特性Ｏｃ１の第２位置Ｌ２における音量よりも小さな音量を指定することをユーザに促す画像を表示装置２１０に表示させる。ユーザが操作特性Ｏｃ１の第２位置Ｌ２における音量よりも小さな音量を指定すると、受付部２４６は指定された音量を受け付ける。第３実施形態においては、端末装置２００Ｂの生成部２４８が、受け付けた音量と、予めプリアンプ１００Ｃから取得した特性データＤｔ１とに基づいて、特性データＤｔ２を生成する。その後、送信制御部２４４は、近距離無線通信装置２３０を制御して、生成部２４８が生成した特性データＤｔ２をプリアンプ１００Ｃへ送信させる。
【００６５】
プリアンプ１００Ｃのプロセッサ１４０が送信された特性データＤｔ２を受信すると、当該特性データＤｔ２は不揮発性メモリ１６０に記憶される。その後の処理については第１実施形態と同様である。また、第２実施形態の第２態様で説明したようにユーザによって所定位置Ｌｃが指定される場合、又は第２実施形態の第３態様で説明したようにユーザによって第２位置Ｌ２の音量及び所定位置Ｌｃが指定される場合においても、端末装置２００Ｂの生成部２４８は、第２実施形態の生成部１４４と同様の処理によって特性データＤｔ２を生成する。本実施形態でも、第２実施形態と同様の効果が奏される。
【００６６】
[４．変形例] 
以上に例示した各実施形態は多様に変形され得る。具体的な変形の態様を以下に例示する。以上に例示した態様及び以下に例示する態様から任意に選択された２以上の態様は、相互に矛盾しない範囲で適宜に併合され得る。
【００６７】
（１）第２実施形態及び第３実施形態の第２態様では、ユーザの指定する所定位置Ｌｃに基づいて特性データＤｔ２が生成された。しかし、ユーザは、所定位置Ｌｃに替えて、所定位置Ｌｃに対応する音量を指定してもよい。より具体的には、本変形例において、表示制御部２４２は、操作特性Ｏｃ２について、所定位置Ｌｃおける音量を指定することをユーザに促す画像を表示装置２１０に表示させる。ユーザが所定位置Ｌｃにおける音量を指定すると、受付部２４６は指定された音量を受け付ける。生成部１４４又は生成部２４８は、ユーザが指定した所定位置Ｌｃにおける音量と、特性データＤｔ１とに基づいて特性データＤｔ２を生成する。より詳細には、生成部１４４又は生成部２４８は、操作特性Ｏｃ１に対応する特性データＤｔ１に基づいて、ユーザが指定した音量に対応する位置を所定位置Ｌｃとして特定する。この後、生成部１４４又は生成部２４８は、上述した第２態様と同様に、例えば、式１を用いて、特性データＤｔ２を生成する。
【００６８】
図１６Ａに、本変形例において生成される特性データＤｔ２が表す操作特性Ｏｃ２を例示する。図１６Ａにおいて、音量ＶＬｓは、ユーザが指定した音量を表す。操作特性Ｏｃ１において、位置Ｌｃ＿１に対応する音量はＶＬ１である。操作特性Ｏｃ２は、第１位置Ｌ１から所定位置Ｌｃ＿２までの第１範囲Ｗ１において、操作特性Ｏｃ１と等しい。また、所定位置Ｌｃ＿２から第２位置Ｌ２までの第２範囲Ｗ２において、操作特性Ｏｃ２の音量が、操作特性Ｏｃ１の音量より小さい。さらに、所定位置Ｌｃ＿２から第２位置Ｌ２までの第２範囲Ｗ２において、操作特性Ｏｃ２の音量変化率は、操作特性Ｏｃ１の音量変化率よりも小さい。
【００６９】
本変形例において、第２位置Ｌ２における操作特性Ｏｃ２の音量は、例えば音量ＶＬｓに応じて自動的に定められてよい。例えば、図１６Ｂに示すように、所定位置Ｌｃ＿２から位置Ｌｃ＿１までの範囲については、位置Ｌｃ＿１から第２位置Ｌ２までの操作特性Ｏｃ２を延長したものとしてもよい。この点は、図１２を参照して説明した第２実施形態及び第３実施形態の第２態様及び第３態様でも同様である。
【００７０】
本変形例によれば、第１実施形態と同様の効果が奏される。さらに、ユーザが指定する所定位置Ｌｃにおける音量に基づいて特性データＤｔ２が生成される。このため、ユーザは、調整したい音量の範囲の下限値に対応する音量を指定することにより、好みに応じてカスタマイズされた操作特性Ｏｃ２を生成することができる。
【００７１】
（２）上述の実施形態及び変形例において、第２範囲Ｗ２における特性データＤｔ２は、第２範囲Ｗ２における特性データＤｔ１に１未満の係数を乗算して生成されてもよい。
本変形例によれば、特性データＤｔ１に基づき、単純な処理で特性データＤｔ２が生成され得る。
【００７２】
（３）第２実施形態及び第３実施形態では、制御装置の一例として表示装置２１０及び表示制御部２４２を備える端末装置２００Ａ及び２００Ｂを例示したが、これらは制御装置の必須の要素ではない。制御装置は、プリアンプ１００Ｂ又は１００Ｃを制御できればよく、例えば、リモコンであってもよい。この場合、リモコンは、操作特性Ｏｃ又は／及び数値を指定するユーザからの入力を受け付ける機能と、データを送信する機能を有していればよい。例えば、上述した第１態様の第２位置Ｌ２における音量、第２態様の所定位置Ｌｃ、変形例で説明した所定位置Ｌｃにおける音量を、ユーザの数字キーの操作に基づいて数値の入力を受け付けるようにしてもよい。
【００７３】
（４）第２実施形態において、端末装置２００Ａは、プリアンプ１００Ｂとペアリングした際にユーザが指定した操作特性Ｏｃ２のパラメータを記憶装置２５０に記憶させてもよい。パラメータとしては、第２位置Ｌ２の音量、所定位置Ｌｃ、及び所定位置Ｌｃにおける音量などが該当する。そして、次に端末装置２００Ａがプリアンプ１００Ｂとペアリングする場合に、端末装置２００Ａは、記憶された操作特性Ｏｃ２のパラメータをプリアンプ１００Ｂに送信し、プリアンプ１００Ｂは受信したパラメータに基づいて、特性データＤｔ２を生成してもよい。この変形例によれば、複数のユーザが、好みにあった操作特性Ｏｃ２を指定することができる。
【００７４】
（５）第３実施形態において、端末装置２００Ｂは、プリアンプ１００Ｃとペアリングした際にユーザが指定した操作特性Ｏｃ２の特性データＤｔ２を記憶装置２５０に記憶させてもよい。そして、次に端末装置２００Ｂがプリアンプ１００Ｃとペアリングする場合に、端末装置２００Ｂは、記憶された操作特性Ｏｃ２の特性データＤｔ２をプリアンプ１００Ｃに送信し、送信した特性データＤｔ２に基づいてプリアンプ１００Ｃを制御してもよい。この変形例によれば、複数のユーザが、好みにあった操作特性Ｏｃ２を指定することができる。
【００７５】
（６）上述した第２実施形態、第３実施形態及び変形例において、操作特性Ｏｃ１に基づいて１つの操作特性Ｏｃ２を生成したが、本発明はこれに限定されず、複数の操作特性Ｏｃを生成してもよい。生成部１４４又は生成部２４８は、第１態様〜第３態様と同様にパラメータと特性データＤｔ１とに基づいて、新たな特性データＤｔを生成すればよい。複数の操作特性Ｏｃを生成することによって、音響システム１Ｂの様々な利用状況に応じた操作特性Ｏｃを生成することが可能となる。
【００７６】
（７）上述した各実施形態及び変形例において、音響システム１Ａ及び１Ｂは、プリアンプ１００Ａ、１００Ｂ又は１００Ｃ、メインアンプ３００、及びスピーカＳＰから構成されたが、本発明が適用される音響装置は、プリアンプ１００Ａ、１００Ｂ又は１００Ｃに限定されず、音量を調整する装置であればいかなるものであってもよい。音響装置は、例えば、プリアンプとメインアンプの機能を備えたプリメインアンプ、プリメインアンプにラジオ受信の機能あるいはサラウンド機能を備えたＡＶレシーバー、プリメインアンプとスピーカとを一体としたコンポ等であってもよい。
【００７７】
（８）以上に例示した形態から、例えば以下の構成が把握される。
＜態様１＞
本発明の好適な態様（態様１）に係る音響装置は、最小の音量に対応する第１位置から所定位置までの第１範囲と前記所定位置から最大の音量に対応する第２位置までの第２範囲とをユーザの操作範囲とする操作子と、前記操作範囲における前記操作子の位置に対応する音量を表し、第１操作特性と第２操作特性とを含む複数の操作特性から、前記ユーザの指示に応じて選択された操作特性に基づいて、前記操作子の位置に応じた音量となるように音信号の振幅を調整する調整部とを備え、前記第１範囲における前記第１操作特性の音量と前記第２操作特性の音量との差分の平均値は、前記第２範囲における前記第１操作特性の音量と前記第２操作特性の音量との差分の平均値よりも小さく、前記第２範囲における前記第２操作特性の音量は、前記第２範囲における前記第１操作特性の音量より小さい。
【００７８】
以上の構成によれば、第１操作特性から第２操作特性に切り替わっても、ミュートからの音量の立ち上がり特性における変化が比較的小さく抑えられる。このため、従来技術と比較して、音量の立ち上がり領域においてユーザが覚える違和感が軽減される。また、第２操作特性が選択された場合、第１操作特性が選択された場合と比較して、第２範囲にわたる操作子の移動量に対し、音響装置から放音される音の音量が変化する幅が狭まる。このため、第２操作特性を選択することにより、比較的低い音量の範囲において、ユーザは音量を微調整することができる。結果として、従来技術と比較して、ユーザは容易に音量を微調整することが可能となる。
【００７９】
＜態様２＞
態様１の好適例（態様２）において、前記第２範囲において、前記第２操作特性における前記操作子の位置の移動量に対して音量が変化する割合は、前記第１操作特性における前記操作子の位置の移動量に対して音量が変化する割合より小さい。以上の構成によれば、第２操作特性を選択することにより、比較的低い音量の範囲においてユーザは容易に音量を微調整することができる。
【００８０】
＜態様３＞
態様１又は２の好適例（態様３）において、前記第１範囲の前記第１操作特性と、前記第１範囲の前記第２操作特性とは等しい。以上の構成によれば、音量の立ち上がり領域においてユーザが覚える違和感を軽減するという効果が特に顕著である。
【００８１】
＜態様４＞
態様１から３までのいずれかの好適例（態様４）において、前記第２操作特性の前記第２位置の音量は、前記ユーザによって指定され、前記第２操作特性を表す第２特性データは、前記ユーザが前記第２操作特性について指定する前記第２位置における音量と、前記第１操作特性を表す第１特性データとに基づいて生成される。以上の構成によれば、ユーザが指定する音量が第２位置における音量として設定された第２操作特性が生成される。このため、調整したい音量の範囲の上限値をユーザが指定することにより、ユーザの好みに応じてカスタマイズされた第２操作特性が生成される。
【００８２】
＜態様５＞
態様１から４までのいずれかの好適例（態様５）において、前記所定位置は、前記ユーザによって指定され、前記第２操作特性を示す第２特性データは、前記ユーザが指定する前記所定位置と、前記第１操作特性を示す第１特性データとに基づいて生成される。以上の構成によれば、ユーザが調整したい音量の範囲の下限値に対応する位置を所定位置として指定することにより、好みに応じてカスタマイズされた第２操作特性が生成される。
【００８３】
＜態様６＞
態様１から４までのいずれかの好適例（態様６）において、前記所定位置における前記第２操作特性の音量は、前記ユーザによって指定され、前記第２特性データは、前記ユーザが指定する前記所定位置の音量と、前記第１特性データとに基づいて生成される。以上の構成によれば、ユーザが調整したい音量の範囲の下限値の音量を指定することにより、好みに応じてカスタマイズされた第２操作特性が生成される。
【００８４】
＜態様７＞
態様４から６までのいずれかの好適例（態様７）において、前記第１範囲の前記第２特性データは、前記第１範囲の前記第１特性データと等しく、前記第２範囲の前記第２特性データは、前記所定位置における前記第１特性データの示す音量と前記第２範囲における前記第１特性データとの差分に１未満の係数を乗算して生成され、前記調整部は、前記ユーザの指示に応じて前記第１操作特性が選択された場合、前記第１特性データに基づいて前記音信号の振幅を調整し、前記ユーザの指示に応じて前記第２操作特性が選択された場合、前記第２特性データに基づいて前記音信号の振幅を調整する。以上の構成によれば、第１特性データに基づいて、単純な処理で第２特性データが生成される。
【００８５】
＜態様８＞
態様１から７までのいずれかの好適例（態様８）において、前記第１範囲における前記操作子の移動量は、前記第１位置から前記第２位置までの移動量の５％〜４０％である。以上の構成によれば操作子が変位し得る範囲の６０％〜９５％が音量の微調整のために割り当てられるため、例えば５０％のみが割り当てられる場合と比較して、操作子の移動量に対する音量の変化率が小さくなり、結果として音量の微調整がより容易になる。
【００８６】
＜態様９＞
本発明の好適な態様（態様９）に係る生成方法は、最小の音量に対応する第１位置から所定位置までの第１範囲と前記所定位置から最大の音量に対応する第２位置までの第２範囲とをユーザの操作範囲とする操作子を備える音響装置に用いられ、前記操作範囲における前記操作子の位置に対応する音量を表す操作特性を示す特性データを生成する特性データの生成方法であって、予め定められた前記操作特性である第１操作特性における前記第２位置の音量よりも小さな音量を指定することをユーザに促し、  前記ユーザが前記第１操作特性における前記第２位置の音量よりも小さな音量を指定すると指定された音量を前記第２位置の音量として受け付け、前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する。以上の構成によれば、調整したい音量の範囲の上限値をユーザが指定することにより、ユーザの好みに応じてカスタマイズされた第２操作特性が生成される。
【００８７】
＜態様１０＞
態様９の好適例（態様１０）において、前記生成方法は、前記所定位置を指定することをユーザに促し、前記ユーザが前記所定位置を指定すると、指定された前記所定位置を受け付け、前記第１位置から前記受け付けた前記所定位置までを前記第１範囲とし、前記受け付けた前記所定位置から前記第２位置までを前記第２範囲として、前記第２特性データを生成する。
【００８８】
＜態様１１＞
態様９の好適例（態様１１）において、前記生成方法は、前記所定位置の音量を指定することをユーザに促し、前記ユーザが前記所定位置の音量を指定すると、指定された前記所定位置の音量を受け付け、  前記第１位置から前記第１操作特性の前記受け付けた音量に対応する位置までを前記第１範囲とし、前記第１操作特性の前記受け付けた音量に対応する位置から前記第２位置までを前記第２範囲として、前記第２特性データを生成する。
【００８９】
＜態様１２＞
本発明の好適な態様（態様１２）に係る制御装置は、最小の音量に対応する第１位置から所定位置までの第１範囲と前記所定位置から最大の音量に対応する第２位置までの第２範囲とをユーザの操作範囲とする操作子を備える音響装置を制御する制御装置であって、前記操作範囲における前記操作子の位置に対応する音量を表す第１操作特性における前記第２位置の音量よりも小さな音量を指定することをユーザに促す画像を表示装置に表示させる表示制御部と、前記ユーザが前記第１操作特性における前記第２位置の音量よりも小さな音量を指定すると指定された音量を受け付ける受付部と、前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する生成部と、前記第２特性データを前記音響装置に送信する送信部とを備える。
＜態様１３＞
本発明の好適な態様（態様１３）に係るプログラムは  最小の音量に対応する第１位置から所定位置までの第１範囲と前記所定位置から最大の音量に対応する第２位置までの第２範囲とをユーザの操作範囲とする操作子を備える音響装置を制御し、前記音響装置にデータを送信する送信部を備えた制御装置のプログラムであって、プロセッサを、前記操作範囲における前記操作子の位置に対応する音量を表す第１操作特性における前記第２位置の音量よりも小さな音量を指定することをユーザに促す画像を表示装置に表示させる表示制御部と、前記ユーザが前記第１操作特性における前記第２位置の音量よりも小さな音量を指定すると指定された音量を受け付ける受付部と、前記受け付けた音量と前記第１操作特性を示す第１特性データとに基づいて、前記受け付けた音量を前記第２位置の音量とし、前記第１範囲における操作特性が前記第１操作特性と等しく、前記第２範囲における音量が前記第１操作特性の音量よりも小さい第２操作特性を示す第２特性データを生成する生成部と、前記送信部を用いて前記第２特性データを前記音響装置へ送信させる送信制御部として機能させる。
【符号の説明】
【００９０】
１Ａ，１Ｂ…音響システム、２０…調整回路（調整部）、１００Ａ，１００Ｂ，１００Ｃ…プリアンプ、１０１…操作子、２００Ａ，２００Ｂ…端末装置（制御装置）、２１０…表示装置、２２０…受付部、２３０…近距離無線通信装置（送信部）、２４２…表示制御部、２４４…送信制御部、２４６…受付部、２４８…生成部、Ｄｔ…特性データ、Ｏｃ…操作特性。
【図１】
2020031397.tif 000003
【図２】
2020031397.tif 000004
【図３】
2020031397.tif 000005
【図４】
2020031397.tif 000006
【図５Ａ】
2020031397.tif 000007
【図５Ｂ】
2020031397.tif 000008
【図６】
2020031397.tif 000009
【図７】
2020031397.tif 000010
【図８】
2020031397.tif 000011
【図９】
2020031397.tif 000012
【図１０】
2020031397.tif 000013
【図１１】
2020031397.tif 000014
【図１２】
2020031397.tif 000015
【図１３】
2020031397.tif 000016
【図１４】
2020031397.tif 000017
【図１５】
2020031397.tif 000018
【図１６Ａ】
2020031397.tif 000019
【図１６Ｂ】
2020031397.tif 000020